(57)【要約】【課題】利用者の操作による折返し端部形成機能を備えた片面接着テープのカッター機構に関し、部品点数の減少化およびテープ折返し端部形成作業の簡単化・確実化を図る。【解決手段】テープカット部５ａのテープ供給側に、テープ貼着保持面５ｂと、表面が非接着性状の複数のテープ巻込み防止面１ｇと、軸中央のものは小径で軸端部にいくほど順次大径に設定されたテープ案内用の複数の円板状部４ｂを有する非接着性ローラ４と、を設けた。各テープ巻込み防止面１ｇは、各円板状部４ｂの間の環状溝部４ｄにその一部が入り込んだ態様になっている。利用者が指の腹部分で非接着性ローラ４の上のテープ部分を当該ローラに押し付けながらテープカット部５ａ側に斜め方向に送り出すと、テープ膨らみ部分３ｂが確実に形成されるので、これを指で摘めば潰れて折り返し端部が容易に得られる。【選択図】図４
2011084390.tif 000002
【特許請求の範囲】
【請求項１】
カッター基台に回転可能な巻回形状で取り付けられた片面接着テープの自由端部側に、接着面同士が当接して非接着表面状態の折返し端部を形成する、機能を備えた片面接着テープカッター機構において、
前記カッター基台に設けられて、前記巻回形状から分かれた直線状テープ部分を切断するためのテープカット部と、
前記テープカット部の後側位置で前記カッター基台に設けられて、前記直線状テープ部分の接着面を保持するテープ貼着保持部と、
前記テープ貼着保持部の後側位置で前記カッター基台に設けられて、利用者の前記直線状テープ部分の非接着面に対する送り操作により前記折返し端部の前段階形状の膨らみ部分が形成される際のテープガイド部として作用する外周面からなるローラ部材と、を少なくとも備え、
前記外周面は、
前記直線状テープ部分の接着面と当接して非接着性を呈し、かつ、ローラ幅方向の凹み形状を有している、
ことを特徴とする片面接着テープカッター機構。
【請求項２】
前記ローラ部材は、
単一のローラ部材である、
ことを特徴とする請求項１記載の片面接着テープカッター機構。
【請求項３】
前記ローラ幅方向の凹み形状の部分は、
前記ローラ部材の回転軸に複数設けられた円板状部間の凹状部である、
ことを特徴とする請求項１または２記載の片面接着テープカッター機構。
【請求項４】
前記ローラ部材の回転軸に複数設けられた円板状部は、
ローラ幅方向における中央部分が小径円板状部に設定され、その外側が大径円板状部に設定された各円板状部である、
ことを特徴とする請求項３記載の片面接着テープカッター機構。
【請求項５】
前記直線状テープ部分が前記ローラ部材から送り出される位置で前記カッター基台に設けられて、この送り出されたテープ部分が当該ローラ部材に巻き込まれるのを阻止するための非接着性状部分からなるテープ巻込み防止部を備えている、
ことを特徴とする請求項１乃至４のいずれかに記載の片面接着テープカッター機構。
【発明の詳細な説明】
【技術分野】
【０００１】
本発明は、片面接着テープのカッター機構に関し、特にカッター基台に回転可能な巻回形状で取り付けられた片面接着テープの自由端部側に接着面同士が当接した状態の折り返し端部を形成する、機能を備えた片面接着テープカッター機構に関する。
【０００２】
本明細書では、テープカット部の側を「前」、これとは反対のボビン側を「後」と記す。図２〜図４，図５(b)，図６の右側が「前」であって、左側が「後」である。また、後述の非接着性ローラの「幅方向」、すなわち図５(a)の左右方向を必要に応じて「横方向」と記す。
【０００３】
本明細書における「非接着」は、実質的な接着力が「０」の場合のみならず、例えば後述（図３，図４）のように利用者が当該テープの接着面を非接着性ローラに押し付けながら十分に前方向に送り出すことができる程度の小接着力の場合も含む、意で用いる。
【０００４】
片面接着テープはいうまでもなく日常生活で汎用されており、例えば商品をくるんだ包装紙を止めたり、袋の口部分を閉じたりする際の接着用ツールとして、利便性に優れたものである。
【０００５】
一方、その優れた接着性のため、包装紙や袋口部分に貼り付けた片面接着テープをはがす際に取っ掛かりとして作用しえるテープ端部を、貼付け相手部分から引き離すことはそれほど簡単ではない。
【０００６】
そこでテープカッターにセットされた片面接着テープをカットする際、その自由端部側に、接着面同士を当接（貼着）させた折返し端部を利用者の簡単な操作でより確実に形成できる片面接着テープカッター機構が望まれるところであり、本発明はこのような要請に応えるものである。
【背景技術】
【０００７】
従来、テープカッターにセットされた片面接着テープをカットする際に接着面同士が当接（貼着）する態様の折返し端部を形成できる機能を備えた片面接着テープカット機構は、例えば下記の文献などで開示されている。なお、［  ］付きの番号は下記文献での参照番号を示している。
【０００８】
この片面接着テープカット機構は、
「・・・カッター部[8]に近接して、カッター基台[1]には、複数の細軸[9]が山形に回転自在に軸承され、この細軸[9]にはシリコンゴムで形成され、非接着性のローラ[10]が嵌着されている。
従って、引き出された片面接着テープ[3]は、頂端のローラ[10]の上を通ってカッター部[8]に至るものである。・・・
この片面接着テープ[3]の端部に、折返して接着面同士が接着されていて、この部分が非接着部分となるようにする場合には、第２図に示すように、片面接着テープ[3]をローラ[10]に押し付けるようにしながら、第３図に示すように摘み上げる。
すると、片面接着テープ[3]は、頂点のローラ[10]の部分で折り返されるようにしながらローラ[10]の非接着性によって引き剥がされ、折り返され各部分の接着面同士が接着され、この部分が非接着端部となる。
次にこの部分を持って、片面接着テープ[3]を所要の長さだけ引き出し、カッター部[8]で切断し、前記非接着部分が貼着面に貼着されることなく、貼着面に貼着することができるものである。」
旨の構成を有している。
【０００９】
すなわち、下記文献で開示される片面接着テープカット機構は、
(11)カッター部[8]の上流側（後側）に複数の非接着性ローラ[10]が山形状に配設され、片面接着テープ[3]はその頂端ローラからカッター部[8]へと延びており、
(12)当該テープの非接着表面状態の折返し端部を形成する場合には、利用者が例えば親指と人差し指とで当該頂端ローラの両側のテープ部分を山形状の複数の非接着性ローラ[10]のそれぞれに押し付けながら摘みあげることにより、当該テープ部分の接着面同士を貼着させ、
(13)続いて、この貼着させた折返し端部をもちながら所定長だけカッター部[8]から引き出して切断する、
ものである。
【００１０】
ここでは複数の非接着性ローラ[10]を山形状に配設し、これに片面接着テープ[3]の端部側をいわば倣わせることにより表面が非接着のテープ膨らみ部分をあらかじめ画定している。なお、このテープ膨らみ部分は折返し端部のいわば前段階の形状である。
【先行技術文献】
【特許文献】
【００１１】
【特許文献１】実開平０１−１１５６６３号公報
【発明の概要】
【発明が解決しようとする課題】
【００１２】
このように、従来の片面接着テープカット機構は、折返し端部の初期状態としてのテープ膨らみ部分を確実に画定するため、複数（図示の場合は計７個）の非接着性ローラ[10]をその全体が山形状になるように配設している。
【００１３】
そのため、片面接着テープカット機構全体の部品点数が必然的に多くなり、非接着性ローラ[10]の山形状配置といった手間のかかる作業工程を要し、片面接着テープカット機構の生産コストも高くなってしまうという問題点があった。
【００１４】
そこで本発明では、複数の非接着性ローラをその全体が山形状になるように配設するのではなく、折返し端部の初期状態としてのテープ膨らみ部分を作成する際の単なるテープ案内用の非接着性ローラ部材を設け、かつ、当該非接着性ローラ部材とテープカット部との間にテープ貼着保持部を設け、これにより片面接着テープカット機構全体の部品点数の減少化を図り、かつ、折返し端部の前段階としてのテープ膨らみ部分の形成作業の簡単化を図ることを目的とする。
【００１５】
すなわち、本発明の片面接着テープカット機構の場合、片面接着テープの端部側がテープ貼着保持部に貼着された状態において、利用者が、その人差指などの腹部分を、非接着性ローラ部材と当接しているテープ部分やその直後部分に当ててから手前に送り出すことにより、上述のテープ膨らみ部分が形成されるようにしている。
【００１６】
また、後述の横方向における各種凹み形状からなる外周面を備えた非接着性ローラ部材の使用により、この非接着性ローラ部材から送り出されるテープにその横方向断面におけるいわば円弧状の上方への反りが設定されるようにして、当該テープ部分が下方に垂れるといったいわゆる「おじぎ」状態の発生を略抑止し、これにより折返し端部の初期状態としてのテープ膨らみ部分の生成作業の確実化を図ることを目的とする。
【００１７】
また、テープ案内用の非接着性ローラの送り出し側にテープ巻込み防止部を備えて、当該非接着性ローラから送り出されるテープ部分がこのローラ自体に巻込まれるのを阻止することを目的とする。
【課題を解決するための手段】
【００１８】
本発明は、以上の課題を次のようにして解決する。
（１）カッター基台（例えば後述のカッター基台１）に回転可能な巻回形状で取り付けられた片面接着テープ（例えば後述の片面接着テープ３）の自由端部側に、接着面同士が当接して非接着表面状態の折返し端部（例えば後述の折返し端部３ａ）を形成する、機能を備えた片面接着テープカッター機構において、
前記カッター基台に設けられて、前記巻回形状から分かれた直線状テープ部分を切断するためのテープカット部（例えば後述のテープカット部５ａ，２１ｃ，４１ｂ，４２ｂ）と、
前記テープカット部の後側位置で前記カッター基台に設けられて、前記直線状テープ部分の接着面を保持するテープ貼着保持部（例えば後述のテープ貼着保持面５ｂ，２１ｄ，４１ｃ，４２ｃ）と、
前記テープ貼着保持部の後側位置で前記カッター基台に設けられて、利用者の前記直線状テープ部分の非接着面に対する送り操作により前記折返し端部の前段階形状の膨らみ部分（例えば後述のテープ膨らみ部分３ｂ）が形成される際の、テープガイド部として作用する外周面からなるローラ部材（例えば後述の非接着性ローラ４，１１，１２，１３，３１，３２，３３）と、を少なくとも備え、
前記外周面を、
前記直線状テープ部分の接着面と当接して非接着性状を有し、かつ、ローラ幅方向の凹み形状を有する態様にする。
（２）上記（１）において、
前記ローラ部材として、
単一のローラ部材（例えば後述の非接着性ローラ４，１１，１２，１３，３１，３２，３３）を用いる。
（３）上記（１），（２）において、
前記ローラ幅方向の凹み形状として、
前記ローラ部材の回転軸に複数設けられた円板状部（例えば後述の円板状部４ｂ，３１ａ，３３ａ）間の凹状部（例えば後述の環状溝部４ｄ，３１ｂ，３３ｂ）を用いる。
（４）上記（３）において、
前記ローラ部材の回転軸に複数設けられた円板状部として、
ローラ幅方向における中央部分が小径円板状部に設定され、その外側が大径円板状部に設定された各円板状部（例えば後述のテープ案内用の円板状部４ｂ，３１ａ）を用いる。
（５）上記（１）〜（４）において、
前記直線状テープ部分が前記ローラ部材から送り出される位置で前記カッター基台に設けられて、この送り出されたテープ部分が当該ローラ部材に巻き込まれるのを阻止するための非接着性状部分からなるテープ巻込み防止部（例えば後述のテープ巻込み防止部１ｆ，２１ａ，４１ａ，４２ａ）を備える。
【発明の効果】
【００１９】
本発明の片面接着テープカット機構はこのように、片面接着テープの前段階であるテープ膨らみ部分を作成するためのローラとして、このテープ膨らみ部分の形状自体を積極的に設定するためのローラではなく、単なるテープ案内用の非接着性ローラ部材を設け、かつ、当該非接着性ローラ部材とテープカット部との間にテープ貼着保持部を設けたものである。
【００２０】
片面接着テープの自由端部側がテープ貼着保持部に貼着されるので、テープ膨らみ部分を形成する際も、利用者は非接着性ローラ部材と当接しているテープ部分を例えば人差指の腹部分で当該ローラに押し付けながら斜め方向（前方向）に送り出せばよい。
【００２１】
そのため、片面接着テープカット機構全体の部品点数の減少化を図るとともに、折返し端部の前段階としてのテープ膨らみ部分の形成作業の簡単化を図ることができる。
【００２２】
ここで単なるテープ案内用の非接着性ローラ部材を１個とした場合には部品点数の減少化が顕著なものとなる。
【００２３】
また、横方向凹み形状からなる外周面を備えた各種の非接着性ローラ部材を用いることにより、この非接着性ローラ部材から送り出されるテープにその横方向断面におけるいわば円弧状の上方への反りを設定し、当該テープ部分が下方に垂れるといったいわゆる「おじぎ」の発生を略抑止しているので、折返し端部の前段階としてのテープ膨らみ部分の生成作業の一層の確実化を図ることができる。
【００２４】
また、テープ案内用の非接着性ローラの送り出し側にテープ巻込み防止部を備えているので、当該非接着性ローラから送り出されるテープ部分がそのローラ自体に巻込まれるのを阻止することができる。
【図面の簡単な説明】
【００２５】
【図１】片面接着テープカット機構の初期状態（非使用状態）を示す斜視図である。
【図２】図１のテープカット機構における折返し端部形成用の作動部分（カット部材，テープ貼着保持面，テープ巻込み防止部，非接着性ローラ）などの断面形状を示す説明図である。
【図３】利用者がテープ膨らみ部分を形成する際の初期段階を示す説明図である。
【図４】図３の初期段階に続くテープ膨らみ部分の形成段階を示す説明図である。
【図５】(a)は図４のＡ−Ａ’線に沿った断面形状を示し、(b)は図４とは違ってテープ膨らみ部分の後端側がテープ巻込み防止部に当接した状態を示している。
【図６】図４のテープ膨らみ部分の形成段階に続く折返し端部の形成段階を示す説明図である。
【図７】各種タイプの非接着性ローラ（その１：外周面全体が単一の幅方向凹み形状からなる非接着性ローラ）を示す説明図である。
【図８】各種タイプの非接着性ローラ（その２：外周面全体が複数の幅方向凹み形状それぞれの連続部分からなる非接着性ローラ）を示す説明図である。
【発明を実施するための形態】
【００２６】
図１〜図８を用いて本発明を実施するための形態を説明する。
【００２７】
なお、各図で用いるアルファベット付き参照番号の構成要素（例えば側面部１ａ）は原則として、当該参照番号の数字部分の構成要素（例えばカッター基台１）の一部であることを示している。
【００２８】
図１〜図６において、
１は巻回状態の片面接着テープを収容保持するカッター基台，
１ａは当該カッター基台の前方上側に形成された一対の側面部，
１ｂは側面部１ａの間に形成された前起立部，
１ｃは後述のカット部材５の受け面として作用する前側上面部，
１ｄは前起立部１ｂの直後に形成された後起立部，
１ｅは前起立部１ｂと後起立部１ｄとの間に設定されて後述のカット部材５を保持する上側開口態様の溝状部，
１ｆは後述の非接着性ローラ４にテープ膨らみ部分が巻き込まれていくのを防止するため、後起立部１ｄに、それぞれが当該非接着性ローラの各環状溝部４ｄに入り込む略平行の態様で六箇所形成された上下方向のリブ状部（テープ巻込み防止部），
１ｇはリブ状部１ｆの上面であってダイヤカット状に設定されたテープ巻込み防止面，
２はカッター基台１に回転可能な態様で取り付けられたボビン，
３はボビン２に巻回されている片面接着テープ，
３ａは当該片面接着テープの自由端部側に形成されて、当該テープの接着面同士が当接した非接着表面状態の折返し端部（図６のみで使用），
３ｂは折返し端部３ａを作成する際のいわば前段階形状であるテープ膨らみ部分（図４，図５のみで使用），
４はカッター基台１に回転可能な態様で取り付けられて、テープ膨らみ部分３ｂを形成する際のテープガイド部として作用する第１の非接着性ローラ，
４ａはカッター基台１の側面部１ａに取り付けられた回転軸，
４ｂは回転軸４ａと一体に成形された計７個の、中央が小径で、その外側にいくほど順次大径に設定されたテープ案内用の円板状部，
４ｃは円板状部４ｂそれぞれの環状周面（片面接着テープ３の接着面との当接周面）であって表面部分が鋸歯形状に設定されたテープ案内用周面，
４ｄは隣同士の円板状部４ｂの間に形成される計６個の環状溝部，
５は片面接着テープ３に対するカット機能および貼着保持機能を備えて、カッター基台１の溝状部１ｅに取り付けられた金属製の第１のカット部材，
５ａは片面接着テープ３の巻回部分から分かれた直線状テープの所定長分を切断するテープカット部，
５ｂはテープカット部５ａから断面Ｕ字状部分を介して連続する態様で形成されて、片面接着テープ３の直線状テープ部分の接着面を保持する略平面状のテープ貼着保持面，
５ｃはテープ貼着保持面５ｂの後端部分から連続する態様で下方向に形成された取付用基部，
６は非接着性ローラ４の直後部分に取り付けられて、当該ローラと同様に、テープ膨らみ部分３ｂを形成する際のテープガイド部として作用する（図４参照）非接着性の補助ローラ，
をそれぞれ示している。
【００２９】
なお、図１〜図６における参照番号１，１ａ，１ｂ，１ｆ，１ｇ，５，５ａ，５ｂなどは、図７および図８でも用いている。
【００３０】
図７において、
１１はカッター基台１に回転可能な態様で取り付けられて、幅方向断面が単一の凹み形状（＝外周面の幅方向中央部分がその両端部側よりもくびれた形の逆太鼓状胴部）となるように設定された第２の非接着性ローラ（図７(a)で使用），
１１ａは金属，セラミックス，合成樹脂などの粒子を付着させた形の非接着性外周面，
１２は非接着性ローラ１１と同様の逆太鼓状胴部（の外周面形状）からなる第３の非接着性ローラ（図７(b)で使用）
１２ａはローレット目，ダイヤカットの表面形態からなる非接着性外周面
１３はいわゆる二色成形加工により作成されて、非接着性ローラ１１と同様の逆太鼓状胴部（の外周面形状）からなる第４の非接着性ローラ（図７(c)で使用），
１３ａはテープ接着面が比較的つきやすい性状のＡＢＳなどからなる複数の方形状部（逆太鼓状胴部外周面の一部），
１３ｂはテープ接着面が比較的つきにくい性状のテフロン（登録商標），シリコンゴムなどからなる方形状部以外の非接着性外周面，
２１はカット部材５（図１〜図６）と同様のカット機能や貼着保持機能に加えて、テープ膨らみ部分３ｂが非接着性ローラ１１，１２，１３のそれぞれへ巻き込まれるのを防止する機能を備えた金属製の第２のカット部材，
２１ａは当該カット部材の（テープ貼着保持面２１ｄの後側に続く）テープ巻込み防止部の上面であって、金属，セラミックス，合成樹脂などの粒子を付着させた非接着性のテープ巻込み防止面（テープ巻込み防止部），
２１ｂはテープ巻込み防止面２１ａの後端側であって、第２〜第４の各非接着性ローラの非接着性外周面１１ａ，１２ａ，１３ｂそれぞれの幅方向曲面形状に合致した形のテープ巻込み防止用の曲線状端部，
２１ｃはテープカット部５ａと同様のテープカット部，
２１ｄはテープ貼着保面５ｂと同様のテープ貼着保持面，
をそれぞれ示している。
【００３１】
図８において、
３１はカッター基台１に回転可能な態様で取り付けられて、幅方向断面が複数の凹み形状の連続部分からなり、かつ、この連続部分の各頂点を幅方向に順次つなげた形のいわば仮想包絡曲面もまた凹み形状、すなわち上述の逆太鼓状胴部の外周面となるように設定された第５の非接着性ローラ（図８(a)で使用），
３１ａは当該非接着性ローラの回転軸と一体に成形された計７個の、中央が小径で、その外側にいくほど順次大径に設定されたテープ案内用の円板状部，
３１ｂは隣同士の円板状部３１ａの間に形成される計６個の環状溝部，
３２はカッター基台１に回転可能な態様で取り付けられて、幅方向断面が複数の凹み形状の連続部分からなり、かつ、この連続部分の各頂点を幅方向に順次つなげた形のいわば仮想包絡曲面が円筒状となるように設定された第６の非接着性ローラ（図８(b)で使用），
３３は第１の非接着性ローラ４（図１〜図６）とは異なる形で第１のカット部材５に対応させた第７の非接着性ローラ（図８(c)で使用），
３３ａは当該非接着性ローラの回転軸と一体に成形された計７個の、それぞれが同一径からなるテープ案内用の円板状部，
３３ｂは隣同士の円板状部３３ａの間に形成される計６個の環状溝部，
３３ｃはテープ案内用周面４ｃと同様のテープ案内用周面，
４１は第５の非接着性ローラ３１に対して使用され、図７の第２のカット部材２１と同様のカット機能，貼着保持機能およびテープ巻込み防止機能を有する金属製の第３のカット部材，
４１ａは平板状で、テープ巻込み防止面２１ａと同様の上面状態からなり、後端部分の全体が、円板状部３１ａに接近し、かつ、環状溝部３１ｂのそれぞれに入り込んでいる歯車形状に設定されたテープ巻込み防止部，
４１ｂはテープカット部５ａ，２１ｃと同様の作用を呈するテープカット部，
４１ｃはテープ貼着保持面５ｂ，２１ｄと同様の作用を呈するテープ貼着保持面，
４２は第６の非接着性ローラ３２に対して使用され、図７の第２のカット部材２１と同様のカット機能，貼着保持機能およびテープ巻込み防止機能を有する金属製の第４のカット部材，
４２ａは平板状で、テープ巻込み防止面２１ａと同様の上面状態からなり、後端部分の全体が当該非接着性ローラの外周面に接近した連続アーチ形状に設定されたテープ巻込み防止部，
４２ｂはテープカット部５ａ，２１ｃと同様の作用を呈するテープカット部，
４２ｃはテープ貼着保持面５ｂ，２１ｄと同様の作用を呈するテープ貼着保持面，
をそれぞれ示している。
【００３２】
図示の片面接着テープカッター機構の基本的特徴は、
(21)テープカット部５ａ，２１ｃ，４１ｂ，４２ｃの後側（ボビン側）に、
・接着性のテープ貼着保持面５ｂ，２１ｄ，４１ｃ，４２ｃ
・非接着性のテープ巻込み防止部（巻込み防止面）１ｆ，２１ａ，４１ａ，４２ａ
・折り返し端部の前段階のテープ膨らみ部分を形成するために自由端側の直線状テープ部分を前方に送り出すときのガイド作用を呈する非接着性ローラ４，１１，１２，１３，３１，３２，３３
の各構成要素を順に配設し、
(22)当該非接着性ローラの外周面にローラ幅方向の凹み形状を設けた、
ことである。なお、非接着性ローラを複数設けてもよい。
【００３３】
図１〜図８の各非接着性ローラは、
(31)非接着性ローラ４，３１のように、その外周面が複数の横方向凹み形状の連続部分からなり、かつ、この連続部分の各頂点を幅方向に順次つなげた形のいわば仮想包絡曲面が逆太鼓状胴部の外周面形状になるものと、
(32)非接着性ローラ３２，３３のように、その外周面が複数の横方向凹み形状の連続部分からなり、かつ、この連続部分の各頂点を幅方向に順次つなげた形のいわば仮想包絡曲面が円筒外周面形状になるものと、
(33)非接着性ローラ１１，１２，１３のように、その幅方向断面が単一の横方向凹み形状であって、外周面全体の幅方向中央部分がその両端部側よりもくびれた単一の逆太鼓状胴部の外周面形状からなるものと、
に大別される。
【００３４】
なお、上記(31)，(32)における個々の横方向凹み形状もまた、逆太鼓状胴部の外周面形状に近いものになっている。すなわちこれら複数の横方向凹み形状はそれぞれの略幅方向中央（中間）部分がその両端部側よりもくびれた形になっている。
【００３５】
図３および図４に示すように、利用者がこれらの非接着性ローラにテープ部分を例えば人差し指で押しつけながら手前に引き出すとき、このテープ部分は当該各ローラの外周面全体の横方向凹み形状に倣って変形する。また、非接着性ローラ４，３１，３２，３３の場合には個々の横方向凹み形状の部分に利用者人差し指の腹部分が入り込んで、当該腹部分で押されるテープ部分もこの個々の横方向凹み形状の単位で個々に変形する。
【００３６】
これらの変形はいずれも、テープ幅方向の断面形状がいわば上に開いた円弧状、すなわちその両側部分が上方に反ったような状態となる。
【００３７】
利用者が、図１のいわば初期状態の片面接着テープ３の自由端部側にその折返し端部３ａ（図６参照）を形成するには、図３および図４に示すように、例えば人差し指で先ず非接着性ローラ４のすぐ後側のテープ上面（上記直線状テープ部分の非接着面）を少し押し下げて、当該ローラに押し付けながら手前側に移動させればよい。なお、必要に応じてカッター基台１を親指などで押さえてもよい。
【００３８】
このとき、片面接着テープ３の自由端部側はテープ貼着保持面５ｂに貼着されているので、非接着性ローラ４の側の膨らみ対象のテープ部分（≒折返し端部３ａとなるテープ部分）は利用者の例えば人差し指の操作のみによって当該ローラに案内されながら手前側の少し斜め上方向に確実に送り出される（図４参照）。
【００３９】
また、上述のように非接着性ローラ４が逆太鼓状胴部の外周面形状に設定されているので、上述したように、この少し斜め上方向へ送り出される片面接着テープ３はその幅方向の両側部分が上方に反った形になっている。
【００４０】
そのため、少し斜め上方向へ送り出されるテープ部分が下方に垂れるといったいわゆる「おじぎ」の発生を略抑止でき、図４，図５(b)に示した山状のテープ膨らみ部分３ｂがより確実に生成される。
【００４１】
さらには、非接着性ローラ４から送り出されるテープ部分が当該非接着性ローラに巻込まれそうになったとしても、テープ巻込み防止面１ｇの作用によりこのテープ巻込み現象は阻止される。
【００４２】
非接着性ローラ４およびテープ巻込み防止用リブ状部１ｆ（テープ巻込み防止面１ｇ）の間には、横方向の直線状隙間部分が存在しない。そのため、非接着性ローラ４から送り出されるテープ部分が仮に「おじぎ」状態になったとしても、それが当該ローラへ巻込まれる可能性はほとんどない。
【００４３】
なお、テープ巻込み防止面１ｇは非接着性ローラ４およびテープ貼着保持面５ｂよりも下方位置に設けられている。これは図１，図２の初期状態における直線状テープ部分の接着面がテープ巻込み防止面１ｇに当接しないようにするためである。
【００４４】
テープ巻込み防止面１ｇは非接着性状部材で形成されているため、非接着性ローラ４およびテープ貼着保持面５ｂに対する当該テープ巻込み防止面の上下方向の位置関係は図示のものに限定されるものではない。すなわち、テープ巻込み防止面１ｇを非接着性ローラ４やテープ貼着保持面５ｂと略同じ高さ、またはこれらの上方位置に設けてもよい。
【００４５】
折返し端部３ａを生成するには、図４〜図６で示すように、所定長のテープ膨らみ部分３ｂが形成されてからその両側表面を挟んで接着面同士を当接させればよい。
【００４６】
なお、この接着面同士を当接させるとき、すなわち図４から図６へと移行する途中の段階でもテープ膨らみ部分３ｂの前端側はテープ貼着保持面５ｂに貼着されているので、利用者が当接させた接着面同士が幅方向にずれてしまうようなことは、ほとんどない。
【００４７】
以上のテープ膨らみ部分３ｂに続く折返し端部３ａの生成動作は、非接着性ローラ４およびテープ巻込み防止用リブ状部１ｆの組み合わせに代えて、図７および図８で示す非接着性ローラ１１，１２，１３，３１，３２，３３およびテープ巻込み防止部２１ａ，４１ａ，４２ａ，１ｆの組み合わせを用いる場合にも担保される。
【００４８】
なお、非接着性ローラとしては、
(a)テフロン（登録商標），ポリプロピレン，シリコンゴムなどのようにテープ接着面がつきにくい非接着性素材からなるもの
(b)スポンジ表面に不織布を取り付けたもの
(c)金属，合成樹脂，木，布などの任意の素材からなるローラ表面にサウンドペーパー，ナイロン製の布，テフロン（登録商標），ポリプロピレンなどを取り付けたもの
(d)上記(c)のローラ表面に金属，セラミックス，合成樹脂などの粒子を付着させたもの
(e)ローラ表面部分が梨地状やローレット目で形成された金属製，合成樹脂製のもの
などが用いられる。
【００４９】
ここで図示の非接着性ローラ４，１１，１２，３１，３３も含めて上記(b)〜(e)の非接着性ローラは、いずれもテープ接着面が接触するローラ表面部分を積極的に凹凸状態にしてテープ接着面との接触面積を小さくすることにより、当該表面部分にテープ接着面がつきにくいようにしたものである。
【００５０】
また、テープ巻込み防止部材６，６’もテープ接着面がつきにくい非接着性状の部材であって、各種非接着性ローラと同様の表面性状のものを用いることができる。
【００５１】
また、円板状部４ｂ，３１ａ，３３ａを３以上の任意の個数設定してもよいこと、非接着性ローラ３２の複数の幅方向凹み形状を任意の個数設定してもよいことは、それぞれ勿論である。カット部材５，２１，４１，４２を合成樹脂製のものにしてもよい。
【符号の説明】
【００５２】
（以下の１〜６は主に図１〜図６で使用）
１：カッター基台
１ａ：一対の側面部
１ｂ：前起立部
１ｃ：前側上面部
１ｄ：後起立部
１ｅ：上側開口態様の溝状部
１ｆ：上下方向のリブ状部（テープ巻込み防止部）
１ｇ：テープ巻込み防止面
２：ボビン
３：片面接着テープ
３ａ：非接着表面状態の折返し端部（図６のみで使用）
３ｂ：テープ膨らみ部分（図４，図５のみで使用）
４：第１の非接着性ローラ
４ａ：回転軸
４ｂ：テープ案内用の円板状部
４ｃ：テープ案内用周面
４ｄ：環状溝部
５：金属製の第１のカット部材
５ａ：テープカット部
５ｂ：略平面状のテープ貼着保持面
５ｃ：取付用基部
６：非接着性の補助ローラ，
をそれぞれ示している。
【００５３】
（以下の１１〜２１ｄは図７で使用）
１１：第２の非接着性ローラ（図７(a)で使用）
１１ａ：非接着性外周面
１２：第３の非接着性ローラ（図７(b)で使用）
１２ａ：非接着性外周面
１３：第４の非接着性ローラ（図７(c)で使用）
１３ａ：複数の方形状部（逆太鼓状胴部外周面の一部）
１３ｂ：非接着性外周面，
２１：金属製の第２のカット部材
２１ａ：テープ巻込み防止面（テープ巻込み防止部）
２１ｂ：テープ巻込み防止用の曲線状端部
２１ｃ：テープカット部
２１ｄ：テープ貼着保持面
【００５４】
（以下の３１〜４２ａは図８で使用）
３１：第５の非接着性ローラ（図８(a)で使用）
３１ａ：テープ案内用の円板状部
３１ｂ：環状溝部
３２：第６の非接着性ローラ（図８(b)で使用）
３３：第７の非接着性ローラ（図８(c)で使用）
３３ａ：テープ案内用の円板状部
３３ｂ：環状溝部
３３ｃ：テープ案内用周面
４１：金属製の第３のカット部材
４１ａ：テープ巻込み防止部
４１ｂ：テープカット部
４１ｃ：テープ貼着保持面
４２：金属製の第４のカット部材
４２ａ：テープ巻込み防止部
４２ｂ：テープカット部
４２ｃ：テープ貼着保持面
【図１】
2011084390.tif 000003
【図２】
2011084390.tif 000004
【図３】
2011084390.tif 000005
【図４】
2011084390.tif 000006
【図５】
2011084390.tif 000007
【図６】
2011084390.tif 000008
【図７】
2011084390.tif 000009
【図８】
2011084390.tif 000010